(57)【要約】【課題】移動車両に搭載して、任意の場所に移動して、こてで氷を製造できるようにした高い製氷能力を有する移動式ハーベスト製氷装置を提供する。【解決手段】移動車両１に、製氷板６の多数枚を鉛直の姿勢で互いに平行又と略平行に並べて成る製氷板群５を、当該製氷板群における各製氷板を前記移動車両の走行方向に対して直角又は略直角にして配設して、この製氷板群５と、前記移動車両における左右両側面のうち一方の側面との間に前記移動車両の走行方向に延びる空間部７を形成して、この空間部内の上部に、前記製氷板群に対する冷媒供給管路１１、冷媒排出管路１２及び水供給管路１８を配設し、前記空間部内の下部に、走行方向に延びる氷受け樋を配設し、更に、前記製氷板群の下方に、前記各製氷板から落下する氷を前記氷受け樋内に導くためのシュート１６を配設する。【選択図】　　　　　　　　　　　図２
2004044850.tif 000002
【特許請求の範囲】
【請求項１】
トラック又はトレーラトラック等の移動車両に、内部に冷媒通路を備えた製氷板の多数枚を鉛直の姿勢で互いに平行又は略平行に並べて成る製氷板群を、当該製氷板群における各製氷板を前記移動車両の走行方向に対して直角又は略直角にして配設して、この製氷板群と、前記移動車両における左右両側面のうち一方の側面との間に前記移動車両の走行方向に延びる空間部を形成して、この空間部内のうち上部に、前記製氷板群における各製氷板に対する冷媒供給管路、冷媒排出管路及び水供給管路を配設し、前記空間部内のうち下部に、氷受け樋を、前記移動車両の走行方向に延びるように配設し、更に、前記製氷板群の下方に、前記各製氷板から落下する氷を前記氷受け樋内に導くためのシュートを配設したことを特徴とする移動式ハーベスト製氷装置。
【請求項２】
前記請求項１の記載において、前記シュートを、前記移動車両の走行方向に対して直角又は略直角の水平又は略水平方向から見て断面を波形に形成するとともに、前記移動車両の走行方向から見て前記氷受け樋に向かって斜め下向きに傾斜したことを特徴とする移動式ハーベスト製氷装置。
【請求項３】
前記請求項１又は２の記載において、前記氷受け樋と前記シュートとの間に、氷を上面に残し水を流れ落とすようにした濾過板を配設したことを特徴とする移動式ハーベスト製氷装置。
【請求項４】
前記請求項１〜３のいずれかの記載において、前記移動車両に、前記氷受け樋内における氷を人工雪に砕くようにしたクラッシャーを搭載したことを特徴とする移動式ハーベスト製氷装置。
【発明の詳細な説明】
【０００１】
【発明の属する技術分野】
本発明は、トラック又はトレーラトランク等の移動車両に搭載して、任意の場所に自在に移動できるように構成した移動式のハーベスト製氷装置に関するものである。
【０００２】
【従来の技術】
一般に、この種のハーベスト製氷装置は、例えば、特開平８−２６１６１４号公報及び特開平１１−３２５６７８号公報等に記載されているように、内部に冷媒通路を備えた製氷板の複数枚を、鉛直の姿勢で互いに平行に並べて配設し、この各製氷板を、その内部の冷媒通路に冷凍サイクルにおける冷媒を流すことによって氷点下に冷却し、この状態で前記各製氷板における表面に水を供給することで、氷を板状に成長し、この板状氷の厚さが或る値以上に成長すると、この板状氷を、前記各製氷板を、その冷媒通路に冷凍サイクルにおける温度の高い冷媒を流して温めることで各製氷板の表面から剥離・落下することを繰り返すように構成したものである。
【０００３】
【発明が解決しようとする課題】
しかし、従来におけるハーベスト製氷装置は、高さが比較的高いこと等の理由から、専ら、氷を必要とする箇所に移動不能に設置するという構成であり、トラック又はトレーラ等の移動車両に搭載して移動式にして構成していないのである。
【０００４】
従って、このハーベスト製氷装置にて製造した氷を、スキー場又は各種イベント会場等において人工雪用の氷として使用するというように、当該ハーベスト製氷装置の設置個所より離れた場所において使用する場合には、その場所まで搬送しなければならないという不便があった。
【０００５】
本発明は、高い製氷能力を有するハーベスト製氷装置を、トラック又はトレータトラック等の移動車両に搭載することができる形態にして提供することを技術的課題とするものである。
【０００６】
【課題を解決するための手段】
この技術的課題を達成するため本発明の請求項１は、
「トラック又はトレーラトラック等の移動車両に、内部に冷媒通路を備えた製氷板の多数枚を鉛直の姿勢で互いに平行又は略平行に並べて成る製氷板群を、当該製氷板群における各製氷板を前記移動車両の走行方向に対して直角又は略直角にして配設して、この製氷板群と、前記移動車両における左右両側面のうち一方の側面との間に前記移動車両の走行方向に延びる空間部を形成して、この空間部内のうち上部に、前記製氷板群における各製氷板に対する冷媒供給管路、冷媒排出管路及び水供給管路を配設し、前記空間部内のうち下部に、氷受け樋を、前記移動車両の走行方向に延びるように配設し、更に、前記製氷板群の下方に、前記各製氷板から落下する氷を前記氷受け樋内に導くためのシュートを配設した。」
ことを特徴としている。
【０００７】
また、本発明の請求項２は、
「前記請求項１の記載において、前記シュートを、前記移動車両の走行方向に対して直角又は略直角の水平又は略水平方向から見て断面を波形に形成するとともに、前記移動車両の走行方向から見て前記氷受け樋内に向かって斜め下向きに傾斜した。」
ことを特徴としている。
【０００８】
更にまた、本発明の請求項３は、
「前記請求項１又は２の記載において、前記氷受け樋と前記シュートとの間に、氷を上面に残し水を流れ落とすようにした濾過板を配設した。」
ことを特徴としている。
【０００９】
加えて、本発明の請求項４は、
「前記請求項１〜３のいずれかの記載において、前記移動車両に、前記氷受け樋内における氷を人工雪に砕くようにしたクラッシャーを搭載した。」
ことを特徴としている。
【００１０】
【発明の作用・効果】
この構成において、移動車両を任意の個所に移動し、この移動車両に搭載した製氷板群における各製氷板を、その冷媒通路内に冷凍サイクルにおける冷媒を冷媒供給管路から供給して冷媒排出管路から排出するように流して氷点下以下に冷却した状態にし、この状態で各製氷板に対して水供給管路から水を供給することで、前記各製氷板の表面に氷が板状に成長する。この板状の氷が所定厚さになると、前記各製氷板の氷点下以下への冷却を止めて、その冷媒通路内に温度の高い冷媒を流して、氷点より高い温度に温めることで、この各製氷板の表面における板状氷を、製氷板から剥離・落下したのち、シュートを介して氷受け樋に受け入れることを繰り返すことにより、氷の製造を行う。
【００１１】
ところで、前記した氷を製造する場合における製氷能力は、前記製氷板群における製氷板の枚数に比例するものであるものの、この各製氷板を、互いに平行又は略平行に並べた製氷板群にして移動車両に搭載するに際して、この各製氷板を移動車両の走行方向と平行又は略平行にして移動車両の横幅方向に並べるという配設にした場合には、前記移動車両における横幅寸法の最大値が道路交通法によって予め決まっていることにより、移動車両に搭載することができる製氷板の枚数を、横幅寸法の最大値を越えて多くすることはできないから、製氷能力を高くすることしかできない。
【００１２】
そこで、本発明は、前記したように、前記製氷板の複数枚を互いに平行又は略平行に並べて成る製氷板群を、移動車両に、当該製氷板群における各製氷板を移動車両の走行方向に対して直角又は略直角にして搭載し、この製氷板群と、移動車両における左右両側面のうち一方の側面との間に移動車両の走行方向に延びる空間部を形成して、この空間部内のうち上部に、前記製氷板群における各製氷板に対する冷媒供給管路、冷媒排出管路及び水供給管路を配設した。
【００１３】
これにより、前記移動車両に搭載することができる前記製氷板の枚数を、当該枚数が移動車両における横幅寸法の最大値にて制限されることなく、且つ、各製氷板に対する冷媒供給管路及び冷媒排出管路による冷媒の供給・排出、及び水供給管路による水の供給が確実にできる状態のもとで、多くすることができる。
【００１４】
これに加えて、前記空間部内のうち下部に、氷受け樋を、移動車両の走行方向に延びるように配設し、更に、製氷板群の下方に、各製氷板から落下する氷を前記氷受け樋内に導くためのシュートを配設したものであり、これにより、前記各製氷板に対する冷媒供給管路、冷媒排出管路及び水供給管路を配設するための空間部を利用して、前記各製氷板から剥離・落下する氷を集め受ける氷受け樋を配設することができるから、スペースが有効に利用できる。
【００１５】
従って、本発明によると、ハーベスト製氷装置を、移動車両に搭載することによって移動式にする場合において、その製氷能力を、移動車両における横幅寸法の最大値に制限されることなく、且つ、無駄なスペースを形成することなく、大幅に高くすることができる効果を有する。
【００１６】
ところで、前記製氷板群における各製氷板から剥離・落下する板状氷は、これを容易に使用できるようにするためには、前記製氷板からの落下より氷受け樋に受け入れるまでの間において細かくする粉砕することが必要であり、この粉砕を、落下に際しての衝撃のみに依存することは、前記各製氷板からシュートまでの落下高さを高くしなければならないが、移動車両における地上からの最大高さ寸法は道路交通法にて予め決まっているから、この最大高さ寸法が制限されている状態で、前記した板状氷の落下高さを高くするには、前記最大高さ寸法に対して前記各製氷板の高さ寸法が占める割合を小さく、換言すると、前記製氷板群における各製氷板の高さ寸法を低くしなければならず、製氷能力の低下を招来することになる。
【００１７】
これに対し、本発明は、請求項２に記載したように、前記シュートを、前記移動車両の走行方向に対して直角又は略直角の水平又は略水平方向から見て断面を波形に形成するとともに、前記移動車両の走行方向から見て前記氷受け樋に向かって斜め下向きに傾斜するという構成を採用する。
【００１８】
この構成において、前記各製氷板から落下の途中における板状氷は、当該板状氷における四つの隅角部のうち下端における一方の隅角部が、前記シュートに対して最初に衝突するから、前記板状氷の破砕は、この下端縁における一方の隅角部から始まって、下端縁における他方の隅角部に向かって順次進行することになる。
【００１９】
これに加えて、前記板状氷が前記シュートに対して衝突したとき、この板状氷には、前記シュートを波形の断面にしたことによる傾斜面にて横向きの外力が作用するから、前記板状氷の破砕には、この横方向への外力が加算されることになる。
【００２０】
つまり、前記落下中における板状氷の破砕を、当該板状氷が衝突するシュートを移動車両の走行方向から見て前記氷受け樋に向かって斜め下向きに傾斜することと、前記シュートを波形の断面にしたこととの両方によって行うものであることにより、前記板状氷を細かく破砕することに必要な落下高さを、大幅に低くすることができるから、この分だけ、地上からの最大高さ寸法に対して前記各製氷板６における高さ寸法が占め得る割合を大きくすることができ、換言すると、製氷板群における各製氷板の高さ寸法を高くすることができて、製氷能力をより向上できる。
【００２１】
更にまた、請求項３に記載したように、前記氷受け樋と前記シュートとの間に、氷を上面に残し水を流れ落とすようにした濾過板を配設することにより、各製氷板から落下する氷に水が混じっている場合、この水を前記濾過板の個所において氷から除いて、氷受け樋には、氷のみが入るようにすることができる。
【００２２】
加えて、請求項４に記載したように、前記移動車両に、前記氷受け樋内における氷を人工雪に砕くようにしたクラッシャーを搭載することにより、スキー場又は各種イベント会場等において人工雪を製造することができる。
【００２３】
【発明の実施の形態】
以下、本発明の実施の形態を、図１〜図４の図面について説明する。
【００２４】
この図において、符号１は、トラクタ２に対してトレーラ３を連結して、矢印Ｄの方向に走行するようにしたトレーラトラックを示し、このトレーラトラック１におけるトレーラ３には、コンテナ４が搭載されている。
【００２５】
前記コンテナ４内を、二枚の仕切り壁により、走行方向Ｄに沿って、前室４ａ、中室４ｂ及び後ろ室４ｃとの三室に区画し、これら三室のうち中室４ｂ内の上部部分に、内部に冷媒通路６ａを備えた製氷板６の複数枚を鉛直の姿勢で互いに平行又と略平行に並べて成る製氷板群５を、当該製氷板群５における各製氷板６を前記トレーラトラック１の走行方向Ｄに対して直角又は略直角にして配設する。
【００２６】
この場合、前記製氷板群５を、前記トレーラトラック１における走行方向Ｄに対して左右両側のうち右側寄りにずれた部位に配設することにより、前記中室４ｃ内のうち前記トレーラトラック１における走行方向に対して左側よりの部分に、前記トレーラトラック１の走行方向Ｄに延びる空間部７を形成する。
【００２７】
前記コンテナ４における前室４ｂ内に、圧縮機８及び冷媒タンク９等のような冷媒の冷凍サイクルを構成する各種の部品を配設する一方、前記トレーラ３のうち前記コンテナ４より前側の部分に、前記冷凍サイクルの一部を構成する空冷式の凝縮器１０を配設する。
【００２８】
前記コンテナ４の中室４ｂ内における空間部７内の上部に、前記冷凍サイクルにおける冷媒を前記製氷板群５における各製氷板６に対して供給するようにした冷媒供給管路１１と、冷媒を前記製氷板群５における各製氷板６から前記冷凍サイクルに戻すようにした冷媒排出管路１２とを配設するとともに、各製氷板６に対する冷媒の膨張弁及び流量制御弁（図示せず）等を配設する。
【００２９】
一方、空間部７内の下部に、上面を開口した氷受け樋１３を、前記トレーラトラック１における走行方向に沿って前記後ろ室４ｃ内にまで延びるように配設して、この氷受け樋１３内に、当該氷受け樋１３内における氷を前記後ろ室４ｃ内に移送するためのスクリューコンベア１５を設けるとともに、この氷受け樋１３の下側に、水槽１４を配設する。
【００３０】
また、前記コンテナ４における中室４ｂ内のうち前記製氷板群５の真下の部分には、シュート１６を、前記トレーラトラック１の走行方向から見て、図２に示すように、前記氷受け樋１３に向かって斜め下向きに傾斜して、このシュート１６の下端と前記氷受け槽１３との間に、簀の子板又は孔あき板或いは金網等のように、氷を上面に残し水を下方の前記受け槽１４内に流れ落とすようにした濾過板１７を装架する。
【００３１】
そして、前記シュート１６を、前記トレーラトラック１の走行方向に対して直角又は略直角の水平又は略水平方向から見て、図４に示すように、前記製氷板６の個所ごとを傾斜面１６ａとするように波形の断面に形成する。
【００３２】
また、前記水槽１４内における水は、図示しないポンプにて汲み出されたのち、前記空間部７内の上部に配設した水供給管路１８を介して、前記製氷板群５における各製氷板６の上端部の表面に対して供給するように構成する。
【００３３】
この構成において、トレーラトラック１を、氷を必要とする任意の個所に移動し、このトレーラトラック１に搭載した製氷板群５における各製氷板６を、その冷媒通路６ａ内に冷凍サイクルにおける冷媒を冷媒供給管路１１から供給して冷媒排出管路１２から排出するように流して氷点下以下に冷却した状態にし、この状態で各製氷板６の上端部における表面に対して水供給管路１８から水を供給することで、前記各製氷板６の表面に氷２０が板状に成長する。
【００３４】
この板状の氷２０が所定厚さになると、前記各製氷板６の氷点下以下への冷却を止めて、その冷媒通路６ａ内に温度の高い冷媒を流して、氷点より高い温度に温めることで、この各製氷板６の表面における板状氷２０を、製氷板６から剥離して、シュート１６の上面に落下し、このシュート１６の上面を滑り落ちて氷受け樋１３に受け入れられることを繰り返すことにより、氷の製造を行う。
【００３５】
前記各製氷板６からシュート１６に落下した氷に混じっている水は、当該氷がシュート１６から図２に矢印Ｅで示すように氷受け樋１３内に滑り落ちる途中の濾過板１７の個所において、氷を濾過板１７の上面に残し、濾過板１７の目からその下方の水槽１４内に流れ落ちるから、前記氷受け樋１内には、氷を水が少ない状態にして受け入れることができる。
【００３６】
前記各製氷板６からシュート１６への落下の途中における板状氷２０は、当該板状氷２０における四つの隅角部のうち下端における一方の隅角部が、前記のように傾斜したシュート１６に対して最初に衝突するから、前記板状氷２０の破砕は、この下端縁における一方の隅角部から始まって、下端縁における他方の隅角部に向かって順次進行することになる。
【００３７】
これに加えて、前記板状氷２０が前記シュート１６に対して衝突したとき、この板状氷２０には、前記シュート１６を波形の断面にしたことによる傾斜面１６ａにて、図４に示すように、横向きの外力Ｂが作用するから、前記板状氷２０の破砕には、落下による鉛直方向の外力Ｃに、前記傾斜面１６ａによる横方向への外力Ｂが加算されることになる。
【００３８】
つまり、前記落下中における板状氷２０の破砕を、当該板状氷２０が衝突するシュート１６をトレーラトラック１の走行方向から見て前記氷受け樋１３に向かって斜め下向きに傾斜することと、前記シュート１６を波形断面にして傾斜面１６ａを設けたこととの両方によって行うものであることにより、前記板状氷２０を細かく破砕することに必要な落下高さを、大幅に低くすることができる。
【００３９】
これにより、地上からの最大高さ寸法Ｈ０に対して前記各製氷板６における高さ寸法Ｈ１が占め得る割合を、この各製氷板６からの板状氷の落下高さを低くすることができる分だけ、大きくすることができ、換言すると、前記各製氷板６における高さ寸法Ｈ１を、落下高さを低くできる分だけ高くすることができる。
【００４０】
そして、前記氷受け樋１３内に入った氷は、そのまま氷として使用するときには、前記氷受け樋１３内からスクリューコンベア１５にて取り出すようにする。
【００４１】
これに対して、前記氷受け樋１３内に入った氷を人工雪とする場合は、以下にのように構成する。
【００４２】
すなわち、前記コンテナ４における後ろ室４ｃ内に、氷を人工雪に砕くようにした回転式のクラッシャー２１を搭載し、このクラッシャー２１に、前記氷受け樋１３内からスクリューコンベア１５にて取り出した氷を、横方向への搬送手段２２及びロータリ弁２３を介して送り込むことにより、前記氷受け樋１３内における氷を前記クラッシャー２１にて砕いて人工雪にし、この人工雪を、クラッシャー２１における吐き出し管２１ａから放出するように構成したものであり、これにより、スキー場又は各種イベント会場において人工雪を製造することができるのである。
【００４３】
なお、前記実施の形態は、トレーラトラック１に搭載した場合を示したが、本発明は、これに限らず、トラック等のその他の移動車両に搭載しても良いことはいうまでもない。また、前記トレーラトラック１におけるトレーラ３のうちこれに搭載したコンテナ４の後ろ側には、コントロールボックス２４を設けている。
【図面の簡単な説明】
【図１】本発明の実施の形態を示す側面図である。
【図２】図１のＩＩ−ＩＩ視拡大断面図である。
【図３】図２のＩＩＩ　−ＩＩＩ　視平断面図である。
【図４】図２のＩＶ−ＩＶ視拡大断面図である。
【符号の説明】
１　　　　　　　　　　　　　　トレーラトラック
２　　　　　　　　　　　　　　トラクタ
３　　　　　　　　　　　　　　トレーラ
４　　　　　　　　　　　　　　コンテナ
５　　　　　　　　　　　　　　製氷板群
６　　　　　　　　　　　　　　製氷板
６ａ　　　　　　　　　　　　　冷媒通路
７　　　　　　　　　　　　　　空間部
８　　　　　　　　　　　　　　冷凍サイクル用圧縮機
１０　　　　　　　　　　　　　冷凍サイクル用空冷式凝縮器
１１　　　　　　　　　　　　　冷媒供給管路
１２　　　　　　　　　　　　　冷媒排出管路
１３　　　　　　　　　　　　　氷受け樋
１４　　　　　　　　　　　　　水槽
１５　　　　　　　　　　　　　スクリューコンベア
１６　　　　　　　　　　　　　シュート
１７　　　　　　　　　　　　　濾過板
１８　　　　　　　　　　　　　水供給管路
２１　　　　　　　　　　　　　クラッシャー
【図１】
2004044850.tif 000003
【図２】
2004044850.tif 000004
【図３】
2004044850.tif 000005
【図４】
2004044850.tif 000006